(57)【要約】      （修正有）【課題】需給計器用の改竄防止シールを実現する需給計器組立体を提供する。【解決手段】需給計器組立体１００は、需給計器を取り付けられたベースプレート１０２と、回転可能に連動するカバー１０４と、連動位置でベースプレート１０２、とカバー１０４とを連結している改竄インジケータ１１３とを含む。改竄インジケータ１１３は、カバー１０４がベースに対して回転されて連動位置から離れていること、または改竄インジケータ１１３が除去されてベースプレート１０２とカバー１０４とを切り離すことを含む改竄条件に応答し、改竄を示すように構成されている。本組立体は、さらに、カバー１０４またはベースプレート１０２の少なくとも一部分を構造的に変形させなければ、カバー１０４をベースプレート１０２から部分的にこじ開けることができないようにする。【選択図】図１
2012194180.tif 000002
【特許請求の範囲】
【請求項１】
需給計器用の組立体（１００、２００）であって、
前記需給計器を取り付けるようになされたベースプレート（１０２、２０２）と、
前記ベースプレート（１０２、２０２）と回転可能に連動するように構成されているカバー（１０４、２０４）と、
連動位置で前記ベースプレート（１０２、２０２）と前記カバー（１０４、２０４）とを連結するようになされた改竄インジケータであり、改竄条件に応答して改竄を示すように構成されている、改竄インジケータと
を備える、組立体（１００、２００）。
【請求項２】
前記改竄条件が、
前記カバー（１０４、２０４）が前記ベースに対して回転させられ前記連動位置から離れていること、および
前記改竄インジケータが除去されて前記ベースプレート（１０２、２０２）と前記カバー（１０４、２０４）とを切り離すこと
からなる群から選択される、請求項１記載の組立体（１００、２００）。
【請求項３】
前記ベースプレート（１０２、２０２）が、前記需給計器を取り付けるようになされた前面（１０５、２０５）と、前記前面（１０５、２０５）の反対側の背面（１０３、２０３）とを含み、前記背面（１０３、２０３）が、前記ベースプレート（１０２）の外縁部に近接する少なくとも１つの外周溝部（１０６）と、前記少なくとも１つの外周溝部（１０６）に隣接する少なくとも１つの外周開口部（１１０）とを含む、請求項１記載の組立体（１００、２００）。
【請求項４】
前記カバー（１０４）が、前記カバー（１０４）の外縁部に近接する少なくとも１つの折曲げタブ（１０８）を含み、前記少なくとも１つの折曲げタブ（１０８）は、径方向内側に延在している第１の部分（１０８ａ）と、前記第１の部分（１０８ａ）に対して実質的に垂直な第２の部分（１０８ｂ）とを有し、前記少なくとも１つの折曲げタブ（１０８）が、前記ベースプレート（１０２）の前記少なくとも１つの外周開口部（１１０）内に延出するように構成されており、前記少なくとも１つの折曲げタブ（１０８）が、前記少なくとも１つの外周溝部（１０６）に回転可能に係合するように構成されている、請求項３記載の組立体（１００、２００）。
【請求項５】
前記少なくとも１つの外周溝部（１０６）が、前記ベースプレート（１０２）の前記外縁部の円周周りで約１２０度離間されている３つの外周溝部（１０６）を含み、前記少なくとも１つの折曲げタブ（１０８）は、前記カバー（１０４）の前記外縁部の円周周りで約１２０度離間されている３つの折曲げタブ（１０８）を含む、請求項４記載の組立体（１００、２００）。
【請求項６】
前記改竄インジケータは、前記連動位置で前記ベースプレート（１０２、２０２）と前記カバー（１０４、２０４）とを貫通して挿入するようになされた機械的要素（１１３）を含み、前記機械的要素（１１３）は、破壊により改竄を示す、請求項１記載の組立体（１００、２００）。
【請求項７】
前記ベースプレート（１０２、２０２）が、径方向に延在しているベースプレート孔（１１２）をさらに含み、前記カバー（１０４、２０４）が、径方向に延在しているカバー孔（１１４）をさらに含み、前記連動位置において、前記ベースプレート孔（１１２）と前記カバー孔（１１４）とが実質的に一列に並んでおり、それらを貫通する前記機械的要素（１１３）を受容し、前記機械的要素（１１３）が前記ベースプレート孔（１１２）と前記カバー孔（１１４）とを通して挿入されることに応答して、前記機械的要素（１１３）の少なくとも一方の端部が折れ曲がり、前記機械的要素（１１３）を破壊することなしには前記機械的要素（１１３）を除去することができない、請求項６記載の組立体（１００、２００）。
【請求項８】
前記機械的要素（１１３）が、針金、棒およびピンのうちの１つを含む、請求項６記載の組立体（１００、２００）。
【請求項９】
前記連動位置が、前記カバー（１０４、２０４）と前記ベースプレート（１０２、２０２）との外周に沿った分離を妨げ、前記カバー（１０４、２０４）が前記ベースプレート（１０２、２０２）から少なくとも部分的にこじ開けられることに応答して、前記カバー（１０４、２０４）または前記ベースプレート（１０２、２０２）の少なくとも１つが構造的に変形する、請求項１記載の組立体（１００、２００）。
【請求項１０】
前記ベースプレート（２０２）が、前記需給計器を取り付けるようになされた前面（２０５）と、前記前面（２０５）の反対側の背面（２０３）とを含み、前記前面（２０５）が、前記前面（２０５）の外縁部に近接する少なくとも１つのベースプレート折曲げタブ（２０６）を含み、前記カバー（２０４）が、前記カバー（２０４）の外縁部に近接する少なくとも１つのカバー折曲げタブ（２０８）を含み、前記少なくとも１つのカバー折曲げタブ（２０８）が、前記カバー（２０４）と前記ベースプレート（２０２）とが前記連動位置にあることに応答して、前記少なくとも１つのベースプレート折曲げタブ（２０６）と対合するように構成されている、請求項１記載の組立体（１００、２００）。
【発明の詳細な説明】
【技術分野】
【０００１】
本明細書において開示されている主題は、一般に計器技術に関し、さらに詳細には、改竄インジケータを回転し破壊することなしにはカバーをベースプレートから取り外ことも部分的にこじ開けることもできないように共に連動するカバーとベースプレートとを含む、需給計器用の組立体に関する。
【背景技術】
【０００２】
需給計器組立体の現行の設計は、需給計器を備えたベースと、需給計器およびベースを覆って配置されるカバーとを含む。しかし、現行の設計は、非常に可撓性でねじ回しのようなデバイスでこじ開けることができるカバーを含む。カバーは恒久的な損傷なしにこじ開けることができるので、公共事業会社に知られずに、需給計器の電気構成要素にアクセスすることができる。需給計器にアクセスすることにより計量シール（ｍｅｔｒｏｌｏｇｉｃａｌ  ｓｅａｌ）を迂回することができ、それにより需給計器の完全性が損なわれ、誰かが需給計器を改竄することが可能になる。
【先行技術文献】
【特許文献】
【０００３】
【特許文献１】米国特許第７１０６０４４号明細書
【発明の概要】
【０００４】
需給計器用の改竄防止シールを実現する需給計器組立体が開示されている。本発明の実施形態による需給計器組立体は、需給計器を取り付けるようになされたベースプレートと、ベースプレートと回転可能に連動するように構成されているカバーと、連動位置でベースプレートとカバーとを連結している改竄インジケータとを含む。改竄インジケータは、カバーがベースに対して回転させられて連動位置から離れていること、改竄インジケータが除去されてベースプレートとカバーとを切り離すこと、および／またはカバーがベースプレートから少なくとも部分的にこじ開けられていることを含む改竄条件に応答して、改竄を示すように構成されている。一実施形態では、改竄インジケータは、連動位置でベースプレートとカバーとを貫通して挿入するようになされた機械的要素を含む。本発明の実施形態による需給計器組立体は、連動位置でカバーを回転させることにより改竄インジケータを破壊するかまたは改竄インジケータを除去し、次いでカバーを回転させることによってのみ、カバーをベースプレートから取り外すことが確実にできるようにする。どちらにしても、改竄インジケータは、カバーが取り外されたことを示す。組立体は、さらに、カバーまたはベースプレートの少なくとも一部分を変形させるかまたは破壊することなしにはカバーをベースプレートから部分的にこじ開けて内部で需給計器にアクセスすることができないようにする。
【０００５】
本発明の第１の態様が、需給計器用の組立体を提供し、該組立体は、需給計器を取り付けるようになされたベースプレートと、ベースプレートと回転可能に連動するように構成されているカバーと、連動位置でベースプレートとカバーとを連結するようになされた改竄インジケータとを含み、改竄インジケータは、改竄条件に応答して改竄を示すように構成されている。
【０００６】
本発明のこれらの特徴および他の特徴は、本発明の種々の態様の以下の詳細な説明を、本発明の種々の実施形態を示す添付図面と併せ読めば、より容易に理解されるであろう。
【図面の簡単な説明】
【０００７】
【図１】本発明の実施形態による需給計器組立体の等角背面図である。
【図２】本発明の実施形態による、連動位置における、需給計器組立体のベースプレートおよびカバーの分解背面図である。
【図３】本発明の実施形態による、連動位置における、需給計器組立体のベースプレートおよびカバーの分解横断面図である。
【図４】本発明の実施形態による、連動位置における、需給計器組立体のベースプレートおよびカバーの分解横断面図である。
【図５】本発明の実施形態による需給計器組立体用のベースプレートの分解等角図である。
【図６】本発明の実施形態による需給計器組立体用のカバーの分解等角図である。
【図７】本発明の実施形態による需給計器組立体に関連して使用するための機械的要素の横断面図である。
【図８】本発明の実施形態による需給計器組立体に関連して使用するための機械的要素の一端部の分解横断面図である。
【発明を実施するための形態】
【０００８】
本開示の図面が必ずしも原寸に比例していないことに留意されたい。図面は、本開示の典型的な態様を示すことを目的としているに過ぎず、したがって、本開示の範囲を限定していると見なされるべきではない。図面においては、図面間で同様の番号が同様の要素を示している。
【０００９】
図１を参照すると、本発明の実施形態による需給計器（図示せず）用の組立体１００が示されている。組立体１００は、需給計器を取り付けるようになされたベースプレート１０２を含む。該需給計器は、電気メータ、水道メータ、ガスメータ、または当該技術分野で既知の需給計器の任意の他の形態を含んでいてもよい。組立体１００は、ベースプレート１０２と回転可能に連動するように構成されているカバー１０４をさらに含む。カバー１０４とベースプレート１０２とが回転可能に連動する方法は、以下でさらに詳細に考察する。組立体１００は、ベースプレート１０２とカバー１０４とを連結している改竄インジケータをさらに含む。一実施形態では、改竄インジケータは、ベースプレート１０２とカバー１０４とを連結するために、ベースプレート１０２とカバー１０４とが連動位置にあるときにベースプレート１０２とカバー１０４とを貫通して挿入するようになされた機械的要素１１３を含む。組立体１００は、改竄インジケータが定位置にある状態で（例えば、機械的要素１１３が挿入されている状態で）連動位置にあると、カバー１０４を回転させて改竄インジケータ（例えば、機械的要素１１３）を破壊するかまたは除去することによってのみ、カバー１０４をベースプレート１０２から取り外すことができる技術的効果を有する。
【００１０】
図１〜図３に示されている第１の実施形態が、カバー１０４をベースプレート１０２と回転可能に連動することができる第１の方法を示す。図３にクローズアップで示されている通り、ベースプレート１０２は、需給計器を取り付けるようになされた前面１０５と、前面１０５の反対側の背面１０３とを有する。図１および図２に示されている通り、背面１０３は、ベースプレート１０２の外縁部に近接する少なくとも１つの外周溝部１０６を含む。一実施形態では、外周溝部１０６は、ベースプレート１０２の外縁部の近くにあるＵ字形開口部を形成している。背面１０３は、各外周溝部１０６に隣接する少なくとも１つの外周開口部１１０をさらに含む。外周開口部１１０には、（図２に最も良く示されている）ベースプレート１０２の外縁部に沿った切欠き部が含まれる可能性があり、またはベースプレート１０２の外縁部のすぐ内側にあるスリットもしくは部分スリットが含まれる可能性がある。
【００１１】
組立体１００のカバー１０４が、カバー１０４の外縁部に近接する少なくとも１つの折曲げタブ１０８を含む。図３に最も良く示されている通り、折曲げタブ１０８は各々、径方向内側に延在している第１の部分１０８ａと、第１の部分１０８ａに対して実質的に垂直な第２の部分１０８ｂとを有する。したがって、以下でさらに詳細に考察するように、折曲げタブ１０８は、ベースプレート１０２の背面１０３を部分的に包み込むように構成されている。一実施形態では、折曲げタブ１０８は、カバー１０４から延出しているＵ字形突出部を形成している。
【００１２】
ベースプレート１０２とカバー１０４とを回転可能に連動させるために、カバー１０４は、各折曲げタブ１０８が対応する外周開口部１１０内に延出するように、ベースプレート１０２上に配置されている。次に、カバー１０４がユーザにより回転させられると、各折曲げタブ１０８は開口部１１０に隣接する外周溝部１０６に回転可能に係合するように構成されている。換言すれば、各折曲げタブ１０８は、カバー１０４が回転すると、溝部１０６内に滑り込む。このようにして、カバー１０４は、各折曲げタブ１０８が回転して溝部１０６内に入ると、ベースプレート１０２と回転可能に連動する。
【００１３】
一実施形態では、溝部１０６の深さは様々である可能性がある。すなわち、溝部１０６が開口部１１０に隣接する第１の端部から第１の端部の反対側の第２の端部まで徐々に深くなるように、溝部１０６の底面に勾配を付けて作製することができる。換言すれば、溝部１０６は、第１の端部より第２の端部においてより深い。さらに、対応する折曲げタブ１０８が可変の高さを有し得る。すなわち、溝部１０６の勾配の付いた表面と合致するように、第２の部分１０８ｂの表面に勾配を付けて作製することができる。
【００１４】
一実施形態では、カバー１０４は、カバー１０４の外縁部の円周周りで等間隔で離間されている３つの折曲げタブ１０８を含み、一方、ベースプレート１０２は、ベースプレート１０２の外縁部の円周周りで等間隔で離間されている３つの対応する溝部１０６（および開口部１１０）を含む。例えば、３つの折曲げタブ１０８を、カバー１０４の外縁部の円周周りで互いに約１２０度間隔を置いて配置することができ、３つの溝部１０６を、ベースプレート１０２の外縁部の円周周りで互いに約１２０度間隔を置いて配置することができる。
【００１５】
図１に示されている通り、ベースプレート１０２が、少なくとも１つの径方向に延在しているベースプレート孔１１２をさらに含むことができ、カバー１０４が、少なくとも１つの径方向に延在しているカバー孔１１４を含むことができる。カバー１０４とベースプレート１０２とが共に連動したとき、すなわち連動位置では、ベースプレート孔（単数または複数）１１２とカバー孔（単数または複数）１１４とが実質的に一列に並んでおり、改竄インジケータを使用してベースプレート１０２とカバー１０４とを連結することができ、例えば、機械的要素１１３をベースプレート孔１１２とカバー孔１１４とを通して挿入することができる。
【００１６】
一実施形態では、機械的要素１１３は、カバー１０４とベースプレート１０２とを貫通して機械的に挿入されるのに十分な剛性を有する一方、機械的要素１１３が除去されたとき、またはカバー１０４を取り外そうとしてユーザがベースプレート１０２に対してカバー１０４を連動位置から回転させたとき、ユーザにより破壊されるほど十分に弱くもある材料で形成することができる。一実施形態では、図７に示されている通り、実質的に真っ直ぐな機械的要素１１３、例えばアルミニウムの棒、が使用されている。図７に示されている通り、機械的要素１１３は、第１の端部１１８と第２の端部１２０とを有する。ユーザが、第１の端部１１８を把持し、第２の端部１２０を孔１１２、１１４（図１）内に挿入することができる。図７に示されている実施形態では、第１の端部１１８はヘッド１２２を含むが、ヘッド１２２は任意選択であることを理解されたい。本実施形態では、機械的要素１１３は、少なくとも１つの刻み目領域１２４をさらに含む。当業者には分かる通り、刻み目領域１２４は、機械的要素１１３の弱い領域を含む。
【００１７】
操作時、カバー１０４とベースプレート１０２とが共に連動したとき、すなわち連動位置では、ベースプレート孔（単数または複数）１１２とカバー孔（単数または複数）１１４とが実質的に一列に並んでおり、ユーザが、孔１１２、１１４を通して機械的要素１１３（最初に第２の端部１２０）を挿入することができる。機械的要素１１３が孔１１２、１１４を貫通すると、ユーザは、図８に示されている通り、機械的要素１１３の第２の端部１２０を折り曲げることができ、または別の実施形態では、挿入時に機械的要素が折り曲げられるように、孔１１２、１１４を成形することができる。刻み目が付けられているため、機械的要素１１３は、刻み目領域１２４の所で折れ曲がり易い。機械的要素１１３は、任意の所望の角度で折り曲げることができ、例えば、機械的要素１１３は、ほんの僅かにすなわち約１０度から３０度折り曲げることができ、約９０度で折り曲げることができ、またはそれ自体の上にすなわち約９０度から１８０度まで折り返すことができる。機械的要素１１３の材料特性、例えばアルミニウムの強度と弾性に起因して、機械的要素１１３は、再度折り曲げられる（すなわち曲げ戻される）とせん断または破壊される。したがって、ユーザが機械的要素１１３を折り曲げると、それを破壊することなしには伸ばす、すなわち再度折り曲げることができない。機械的要素１１３は孔１１２、１１４内に挿入された後に折り曲げられるため、機械的要素１１３は、孔１１２、１１４から引き抜く場合、真っ直ぐに伸ばす、すなわち最初に折り曲げられた方向と逆方向に再度折り曲げることを必要とする。このようにして機械的要素１１３を再度折り曲げることにより、機械的要素１１３は破壊される。同様に、機械的要素１１３を除去せずにカバー１０４を回転させることにより、機械的要素１１３が破壊される。このようにして、改竄インジケータが改竄すなわち機械的要素１１３が破壊されることを示すため、カバー１０４がベースプレート１０２から取り外されたかまたは取り外されようとしているかどうかがユーザに明らかになる。
【００１８】
また、アルミニウムの棒状の機械的要素１１３が図７および図８に示されているが、機械的要素１１３は、ベースプレート孔１１２およびカバー孔１１４を通して挿入することができる任意の構成部品、例えば針金、棒またはピンを含み得ることを理解されたい。例えば針金を使用することができ、挿入した後で、針金を破壊することなしには取り出すことができないように針金が折り曲がる、または捻れることが可能である。
【００１９】
別の実施形態では、改竄インジケータが、カバー１０４とベースプレート１０２との間の継目（継目全体または継目の一部）を封止するテープを含み、それによりカバー１０４とベースプレート１０２とを連結することができる。本実施形態では、テープが除去された場合に、テープが破壊されるかまたは組立体１００もしくはセキュリティテープ自体に言葉、記号を残すなどの開封明示が示されるように、当該技術分野で既知の開封明示セキュリティテープを使用することができる。
【００２０】
前段で考察したように、操作時、カバー１０４を（需給計器を備え付けた）ベースプレート１０２に固定するために、ユーザが、（折曲げタブ１０８が開口部１１０内に延出しているように）カバー１０４をベースプレート１０２上に配置し、次いで、ベースプレート１０２に対してカバー１０４を回転させることにより、折曲げタブ１０８を溝部１０６内に滑り込ませる。このようにして、カバー１０４は、ベースプレート１０２と回転可能に連動する。次に、カバー１０４とベースプレート１０２とが連動位置にある状態で、改竄インジケータ（例えば、機械的要素１１３または開封明示テープ）を利用して、ベースプレート１０２とカバー１０４とを連結する。改竄インジケータは、改竄条件に応答して改竄を示すように構成されている。改竄条件には、カバー１０４がベースプレート１０２に対して回転させられ連動位置から離れていること、改竄インジケータが除去されていること、および／またはカバー１０４がベースプレート１０２から部分的にこじ開けられようとしている場合が含まれる可能性がある。これら条件のいずれかに応答して、改竄インジケータは改竄を示す。
【００２１】
一実施形態では、ベースプレート孔１１２とカバー孔１１４は、連動した後で、一列に並ぶことができ、ユーザが孔１１２、１１４を通して機械的要素１１３を挿入し、カバー１０４とベースプレート１０２とを連結することができる。したがって、ユーザが組立体１００内の需給計器にアクセスする必要がある場合、ユーザは、ベースプレート１０２に対してカバー１０４を回転させることにより機械的要素１１３を破壊するか、または機械的要素１１３を除去し（それにより、機械的要素１１３が破壊され）、次いで、ベースプレート１０２に対してカバー１０４を回転させて連動位置から離さなければならない。どちらにしても、破壊または改竄された改竄インジケータが、カバー１０４がベースプレート１０２から取り外された（または部分的に取り外された）とユーザに注意を喚起するので、許可の有無に関わらず、誰かが需給計器にアクセスしたかどうかが明らかである。
【００２２】
さらに、ベースプレート１０２とカバー１０４との間の連動接続は、ユーザがカバー１０４をこじ開けることを妨げる。換言すれば、連動接続は、カバー１０４とベースプレート１０２との外周に沿った分離を妨げ、例えば、ユーザが、（例えば、ねじ回しまたは針金などの道具を挿入することにより）カバー１０４とベースプレート１０２との間に空間を作り出してその中にある需給計器にアクセスしようとすることを妨げる。連動接続は、ユーザがたとえ部分的にでもカバー１０４をベースプレート１０２からこじ開けようとした場合、カバー１０４およびベースプレート１０２の少なくとも一方が構造的に変形するかまたは破壊されることを確実にする。具体的には、カバー１０４がベースプレート１０２から部分的にこじ開けられた場合、タブ１０８が変形するかまたは破壊され、したがって、破壊された、または変形したタブ１０８は、組立体が改竄されたとユーザに注意を喚起することになる。さらに、改竄インジケータはまた、カバー１０４がベースプレート１０２から少なくとも部分的にこじ開けられた場合、改竄を示すように構成することができる。
【００２３】
第２の実施形態では、図４〜図６に示されている通り、ベースプレート２０２とカバー２０４とを回転可能に連動する別の方法が示されている。本実施形態では、図１〜図３に示されている実施形態の場合と同様に、組立体２００がタブおよび溝部を含むが、本実施形態では、カバー２０４とベースプレート２０２との間の連動は、図１〜図３の場合のようなベースプレート１０２の背面とは対照的に、ベースプレート２０２の前面上で行われる。本実施形態では、図４に示されている通り、ベースプレート２０２は、需給計器を取り付けるようになされた前面２０５と、前面２０５の反対側の背面２０３とを含み、ベースプレートの前面２０５は、ベースプレート２０２の外縁部から外側に延出している少なくとも１つのベースプレート折曲げタブ２０６をさらに含む。図５のクローズアップ図に示されている通り、各ベースプレート折曲げタブ２０６は、各ベースプレート折曲げタブ２０６とベースプレート２０２との間に溝部２０７が形成されるように折り曲げられている。
【００２４】
さらに、本実施形態では、図６に示されている通り、カバー２０４が、カバー２０４の外縁部から外側に延出している少なくとも１つのカバー折曲げタブ２０８を含む。図６に示されている通り、各カバー折曲げタブ２０８は、カバー２０４とカバー折曲げタブ２０８との間に溝部２０９が形成されるように折り曲げられている。図４に示されている通り、各カバー折曲げタブ２０８は、対応するベースプレート折曲げタブ２０６と対合するように構成されている。すなわち、カバー折曲げタブ２０８は、ベースプレートタブ２０６により形成されている溝部２０７に滑り込むように構成されている。したがって、操作時、カバー２０４をベースプレート２０２上に配置し、ベースプレート２０２に対してカバー２０４を回転させ、その回転に応答して、各カバー折曲げタブ２０８が各対応するベースプレート折曲げタブ２０６により形成されている溝部２０７に滑り込み、カバー２０４とベースプレート２０２とを連動させることにより、カバー２０４がベースプレート２０２と連動する。また、図１〜図３に示されている実施形態の場合と同様に、カバー２０４とベースプレート２０２とが連動した後で、改竄インジケータを使用して、カバー２０４とベースプレート２０２とを連結することができる。改竄インジケータは、やはり、カバー２０４がベースプレート２０２に対して回転させられ連動位置から離れていること、改竄インジケータが除去されていること、および／またはカバー２０４がベースプレート２０２から部分的にこじ開けようとされている場合などの改竄条件に応答して、改竄を示すように構成されている。また、本明細書に記載されている第１の実施形態と同様に、連動位置では、誰かがカバー２０４をベースプレート２０２からこじ開けようとした場合、タブ２０６、２０８は変形するかまたは破壊され、したがって、破壊された、または変形したタブ２０６、２０８は、組立体が改竄されたとユーザに注意を喚起することになる。
【００２５】
一実施形態では、改竄インジケータが、カバー２０４がベースプレート２０２と連動した後に実質的に一列に並んでいる（図１に示されている）カバー孔１１４およびベースプレート孔１１２を貫通して挿入されている機械的要素１１３（図１）を含む。さらに、本実施形態では、図６に示されている通り、カバー２０４は、各カバー折曲げタブ２０８に隣接する少なくとも１つの支持リブ２１６をさらに含み得る。支持リブ２１６は、径方向に、各カバー折曲げタブ２０８の動きを制限するように構成されている。このようにして、ユーザがカバー２０４をこじ開けようとした場合、カバー折曲げタブ２０８は内側に折り曲げられない。
【００２６】
一実施形態では、図４〜図６に示されている通り、ベースプレート折曲げタブ２０６およびカバー折曲げタブ２０８は各々Ｌ字形タブであるが、両折曲げタブ２０６、２０８を対合するようになされた任意の形状とすることができることを理解されたい。
【００２７】
別の実施形態では、ベースプレート１０２、２０２およびカバー１０４、２０４は、ねじを使用して回転可能に連動することができる。この実施形態では、カバー１０４、２０４がベースプレート１０２、２０２上にねじで留めることができるように、ベースプレート１０２、２０２は、その外縁部に沿ったねじ筋を含むことができ、カバー１０４、２０４をベースプレート１０２、２０２上にねじで留めて、ベースプレート１０２、２０２とカバー１０４、２０４とを回転可能に連動するように、カバー１０４、２０４は対応するねじ筋を含み得る。また、前の実施形態と同様に、カバー１０４、２０４が回転することにより改竄インジケータ１１３を破壊または除去することなく取り外されないように、ねじと共に改竄インジケータが使用される。換言すれば、改竄インジケータ（例えば、機械的要素１１３または開封明示テープ）は、カバー１０４、２０４がベースプレート１０２、２０２から回して外された場合、またはカバー１０４、２０４がベースプレート１０２、２０２から部分的にこじ開けられた場合に、改竄を示すように構成されている。
【００２８】
また、本明細書に論じられておりかつ図１〜図６に示されている全ての実施形態では、ベースプレート１０２、２０２およびカバー１０４、２０４上の種々の要素は逆にすることができることを理解されたい。例えば、第１の実施形態では、カバー１０４が溝部１０６を含むことができ、一方、ベースプレート１０２が折曲げタブ１０８を含むことができる。また、本明細書において、特定の形状の折曲げタブおよび溝部が示され、考察されているが、当業者には、様々な形状および大きさのタブおよび溝部を利用することができることを理解されたい。例えば、折曲げタブ１０８および溝部１０６は、Ｕ字形突出部および溝部を形成して示されているが、任意の形状のタブを使用して、例えば、Ｖ字形、Ｔ字形等の突出部または溝部を形成することができる。
【００２９】
本明細書に用いられている専門用語は、特定の実施形態を記載するためのものに過ぎず、本開示を限定することを目的としていない。本明細書に用いられている単数形「ａ」、「ａｎ」および「ｔｈｅ」は、他に特に明記されていない限り、複数形も含むものとする。さらに、用語「ｃｏｍｐｒｉｓｅｓ（備える、含む）」および／または「ｃｏｍｐｒｉｓｉｎｇ（備える、含む）」は、本明細書に用いられている場合、述べられた特徴、整数、ステップ、動作、要素、および／または構成要素の存在を明記するが、１つまたは複数の他の特徴、整数、ステップ、動作、要素、構成要素、および／またはそれらのグループの存在または追加を除外しないことを理解されたい。さらに、用語「前」および「後（ろ）」は、限定することを目的としておらず、必要に応じて置換え可能であることが意図されていることを理解されたい。
【００３０】
本書は、最良の形態を含めて、例を用いて本発明を開示しており、また、任意のデバイスを作製および使用し任意の組み込まれた方法を実施することを含めて、当業者が本発明を実践することを可能にしている。本発明の特許性のある範囲は、特許請求の範囲により定められ、当業者に思い付く他の例を含み得る。そのような他の例は、それらが特許請求の範囲の文言と異ならない構造要素を有する場合、またはそれらが特許請求の範囲の文言と僅かにしか異ならない等価の構造要素を含む場合、特許請求の範囲内に入るものとする。
【符号の説明】
【００３１】
１００、２００  組立体
１０２、２０２  ベースプレート
１０３、２０３  （ベースプレートの）背面
１０４、２０４  カバー
１０５、２０５  前面
１０６  外周溝部
１０８、２０８  カバー折曲げタブ
１０８ａ  （折曲げタブの）第１の部分
１０８ｂ  （折曲げタブの）第２の部分
１１０  外周開口部
１１２  ベースプレート孔
１１３  機械的要素
１１４  カバー孔
１１８  （機械的要素の）第１の端部
１２０  （機械的要素の）第２の端部
１２２  （機械的要素の第１の端部の）ヘッド
１２４  （機械的要素の）刻み目領域
２０６  ベースプレート折曲げタブ
２０７、２０９  溝部
２１６  支持リブ
【図１】
2012194180.tif 000003
【図２】
2012194180.tif 000004
【図３】
2012194180.tif 000005
【図４】
2012194180.tif 000006
【図５】
2012194180.tif 000007
【図６】
2012194180.tif 000008
【図７】
2012194180.tif 000009
【図８】
2012194180.tif 000010
【外国語明細書】
2012194180000001.pdf